(57)【要約】【課題】保護カバー部材を第１ケース部材と第２ケース部材とに跨って装着したとしても、内部確認のために基板ボックスを開放する作業を迅速に行える遊技機を提供する。【解決手段】基板ボックス３４は、貼着部４６と保護カバー部材３７とカバー装着機構１２３とを備え、貼着部４６は、第１ケース部材４１に形成される第１貼着部５７と、第２ケース部材４２に形成される第２貼着部５９とに分割可能とし、カバー装着機構１２３は、第２ケース部材４２と保護カバー部材３７の一端部との間に設けられた固着機構１２４と、第１ケース部材４１と保護カバー部材３７の他端部との間に設けられた嵌合機構１２５と、を備え、固着機構１２４は、保護カバー部材３７の一端部を第２ケース部材４２に固着可能とし、嵌合機構１２５は、保護カバー部材３７の他端部を第１ケース部材４１に嵌合可能、且つ嵌合状態で第２ケース部材４２のスライド方向に沿ってスライド可能とした。【選択図】図１７
2011147479.tif 000002
【特許請求の範囲】
【請求項１】
遊技制御実行用の電子部品が実装された制御基板と、該制御基板を内部に収納するための基板ボックスと、予め記憶された固有の識別情報を発信可能な電子タグを有する電子タグシールと、を備え、
前記基板ボックスを第１ケース部材と第２ケース部材とに分割して開閉可能とし、前記電子タグシールを、前記第１ケース部材と前記第２ケース部材との分割境界を覆う状態で前記基板ボックスの表面に貼着する遊技機において、
前記基板ボックスは、
前記第１ケース部材に対して前記第２ケース部材を前記分割境界に沿ってスライドして当該基板ボックスを開閉可能とするスライド機構と、
前記電子タグシールを貼着するための貼着部と、
前記電子タグシールを前記貼着部に貼着された状態で保護するための保護カバー部材と、
該保護カバー部材を当該基板ボックスに装着するためのカバー装着機構と、を備え、
前記貼着部は、前記第１ケース部材に形成される第１貼着部と、前記第２ケース部材に形成される第２貼着部とに前記分割境界から分割可能とし、
前記カバー装着機構は、前記第２ケース部材と前記保護カバー部材の一端部との間に設けられた固着機構と、前記第１ケース部材と前記保護カバー部材の他端部との間に設けられた嵌合機構と、を備え、
前記固着機構は、前記保護カバー部材の一端部を前記第２ケース部材に固着可能、且つ固着状態を解除不能とし、
前記嵌合機構は、前記保護カバー部材の他端部を前記第１ケース部材に嵌合可能、且つ嵌合状態で前記第２ケース部材とともに該第２ケース部材のスライド方向に沿ってスライド可能としたことを特徴とする遊技機。
【請求項２】
前記第２ケース部材のスライド方向のうち、前記基板ボックスを開放する方向をスライド開放方向とするとともに、閉成する方向をスライド閉成方向とし、
前記嵌合機構は、前記保護カバー部材の他端部に形成されたカバー嵌合片と、前記第１ケース部材に形成されたカバー嵌合受部と、を嵌合可能な状態で設け、前記カバー嵌合受部を前記第２ケース部材のスライド方向に沿って延在する溝状に形成し、
前記カバー嵌合受部は、前記カバー嵌合片を前記第２ケース部材のスライド方向とは異なる方向へ嵌脱することを許容する嵌脱許容溝部と、嵌脱することを規制する嵌脱規制溝部と、を連通して構成され、前記嵌脱許容溝部を前記嵌脱規制溝部よりも前記スライド開放方向へずれた位置に設けたことを特徴とする請求項１に記載の遊技機。
【請求項３】
前記貼着部は、前記第１貼着部に突設された第１カッターと、前記第２貼着部に突設された第２カッターと、を備え、前記第１カッターを前記第２カッターよりも前記スライド開放方向にずれた位置に設けて、前記第１カッターと前記第２カッターとの間に前記電子タグシールを貼着可能とし、
前記第２ケース部材を前記スライド開放方向へスライドすると、前記第１カッターと前記第２カッターとが近づくように構成されたことを特徴とする請求項２に記載の遊技機。
【請求項４】
前記分割境界は、前記スライド開放方向と交差する境界部分を含むことを特徴とする請求項３に記載の遊技機。
【請求項５】
前記基板ボックスは、前記第１ケース部材と前記第２ケース部材とを閉じた状態で封止するための封止機構を備え、前記封止機構を破壊しない限り当該基板ボックスの封止を解除不能とし、
前記封止機構は、
前記第１ケース部材と前記第２ケース部材とを閉じた状態で固着して封止するための主封止機構と、
該主封止機構の破壊後に前記第１ケース部材と前記第２ケース部材とを閉じた状態で再固着して再封止するための副封止機構と、を備え、
前記副封止機構を前記主封止機構よりも破壊し難い構成にしたことを特徴とする請求項４に記載の遊技機。
【請求項６】
前記主封止機構には主封止部と主封止具とを備え、
前記主封止部は、前記第１ケース部材に設けられた主封止受部と、前記第２ケース部材に設けられた主封止体とから構成され、
前記主封止具は、前記主封止体と前記主封止受部とを固着可能、且つ固着状態を解除不能とし、
前記副封止機構には副封止部と副封止具とを備え、
前記副封止部は、前記第１ケース部材に設けられた副封止受部と、前記第２ケース部材に設けられた副封止体とから構成され、
前記副封止具は、前記副封止体と前記副封止受部とを固着可能、且つ固着状態を解除不能とし、
前記副封止部の剛性を前記主封止部の剛性よりも強く設定して、前記副封止機構を前記主封止機構よりも破壊し難い構成に設定したことを特徴とする請求項５に記載の遊技機。
【発明の詳細な説明】
【技術分野】
【０００１】
本発明は、遊技制御実行用の電子部品が実装された制御基板と、該制御基板を内部に収納するための基板ボックスと、予め記憶された固有の識別情報を発信可能な電子タグを有する電子タグシールと、を備えたパチンコ遊技機等の遊技機に関する。
【背景技術】
【０００２】
従来の遊技機、例えば、パチンコ遊技機やスロットマシンに搭載された遊技制御装置（メイン制御装置）は、各種の電子部品が実装された遊技制御基板を基板ボックスに収納した構成となっている。この基板ボックスは、ベースとなる第１ケース部材と、蓋となる第２ケース部材とから構成され、第１ケース部材と第２ケース部材を重ねると遊技制御基板を収納できる空間部が形成されるようになっている。そして、第２ケース部材には、遊技制御基板上のコネクタ部を外部に露出できる開口部が形成され、遊技制御基板はコネクタ部のみを外部に露出した状態でボックス内に収納可能としている。
【０００３】
また、遊技制御基板には、所定の遊技制御プログラムが記憶された記憶手段（具体的にはメモリー）を搭載している。そして、遊技制御基板に対する不正行為として、制御装置自体と不正装置とが不正に交換されたり、基板ボックスを開放して正規な記憶手段を外し、代わりに不正な遊技制御プログラムが記憶された不正記憶手段を取り付けられたりしてしまうことがある。これらのような不正行為に対処すべく、基板ボックスの開放を防止するために、破壊（例えば、ニッパー等の工具により切断）しなければ第１ケース部材と第２ケース部材とを分離できないように封止する封止機構（所謂かしめ機構）を複数設ける旨が提案されている。また、基板ボックスに、固有ＩＤ等の識別情報が記憶される電子タグ（ＩＣタグ）等を備えた電子タグシール（封印シール）を第１ケース部材と第２ケース部材とに跨って貼り付け、遊技場の店員が読取装置によりＩＣタグの識別情報を読み取って簡易チェックを行えたり、基板ボックスの開放によりＩＣタグが破壊されるようにしたりする旨が提案されている。さらに、封印シールを保護カバー部材で被覆して保護し、封印シールが損傷したり不正に剥離されたりすることを阻止する旨が提案されている（例えば、特許文献１参照）。
【先行技術文献】
【特許文献】
【０００４】
【特許文献１】特開２００８−２７９１７４号公報
【発明の概要】
【発明が解決しようとする課題】
【０００５】
ところで、上記特許文献に記載された遊技制御装置は、保護カバー部材を外せば電子タグシールが簡単に露出するため、不正行為者が再利用目的で電子タグシールを不正に剥がし易い。具体的には、不正行為者が特殊な溶液等を使用したりドライヤー等で加熱したりして電子タグシールの粘着力を弱め、この状態で不正行為者に電子タグシールを破らずに剥がされる虞がある。そして、不正に剥がされた電子タグシールが不正行為者により別個に準備された不正な遊技制御装置（詳しくは不正に改竄された遊技制御基板を収納する遊技制御装置）に貼着されてしまうと、不正な遊技制御装置であるにも拘らず、電子タグシールからは正規の識別情報が発信されるため、不正な遊技制御基板が収納されていることを判別することができない。
【０００６】
そこで、保護カバー部材を基板ボックスに脱離不能な状態で固着することが考えられるが、保護カバー部材を第１ケース部材と第２ケース部材とに跨って固着している場合には、内部確認のために基板ボックスを開放する作業（例えば、公的機関による開放検査）において、基板ボックスの封止機構だけではなく保護カバー部材の固着箇所をも破壊しなければならず、基板ボックス内の確認作業を迅速に行うことができない。
【０００７】
本発明は、上記の事情に鑑みてなされたものであり、その目的は、保護カバー部材を第１ケース部材と第２ケース部材とに跨って装着したとしても、内部確認のために基板ボックスを開放する作業を迅速に行うことができる遊技機を提供しようとするものである。
【課題を解決するための手段】
【０００８】
本発明は、上記目的を達成するために提案されたものであり、請求項１に記載のものは、遊技制御実行用の電子部品が実装された制御基板と、該制御基板を内部に収納するための基板ボックスと、予め記憶された固有の識別情報を発信可能な電子タグを有する電子タグシールと、を備え、
前記基板ボックスを第１ケース部材と第２ケース部材とに分割して開閉可能とし、前記電子タグシールを、前記第１ケース部材と前記第２ケース部材との分割境界を覆う状態で前記基板ボックスの表面に貼着する遊技機において、
前記基板ボックスは、
前記第１ケース部材に対して前記第２ケース部材を前記分割境界に沿ってスライドして当該基板ボックスを開閉可能とするスライド機構と、
前記電子タグシールを貼着するための貼着部と、
前記電子タグシールを前記貼着部に貼着された状態で保護するための保護カバー部材と、
該保護カバー部材を当該基板ボックスに装着するためのカバー装着機構と、を備え、
前記貼着部は、前記第１ケース部材に形成される第１貼着部と、前記第２ケース部材に形成される第２貼着部とに前記分割境界から分割可能とし、
前記カバー装着機構は、前記第２ケース部材と前記保護カバー部材の一端部との間に設けられた固着機構と、前記第１ケース部材と前記保護カバー部材の他端部との間に設けられた嵌合機構と、を備え、
前記固着機構は、前記保護カバー部材の一端部を前記第２ケース部材に固着可能、且つ固着状態を解除不能とし、
前記嵌合機構は、前記保護カバー部材の他端部を前記第１ケース部材に嵌合可能、且つ嵌合状態で前記第２ケース部材とともに該第２ケース部材のスライド方向に沿ってスライド可能としたことを特徴とする遊技機である。
【０００９】
請求項２に記載のものは、前記第２ケース部材のスライド方向のうち、前記基板ボックスを開放する方向をスライド開放方向とするとともに、閉成する方向をスライド閉成方向とし、
前記嵌合機構は、前記保護カバー部材の他端部に形成されたカバー嵌合片と、前記第１ケース部材に形成されたカバー嵌合受部と、を嵌合可能な状態で設け、前記カバー嵌合受部を前記第２ケース部材のスライド方向に沿って延在する溝状に形成し、
前記カバー嵌合受部は、前記カバー嵌合片を前記第２ケース部材のスライド方向とは異なる方向へ嵌脱することを許容する嵌脱許容溝部と、嵌脱することを規制する嵌脱規制溝部と、を連通して構成され、前記嵌脱許容溝部を前記嵌脱規制溝部よりも前記スライド開放方向へずれた位置に設けたことを特徴とする請求項１に記載の遊技機である。
【００１０】
請求項３に記載のものは、前記貼着部は、前記第１貼着部に突設された第１カッターと、前記第２貼着部に突設された第２カッターと、を備え、前記第１カッターを前記第２カッターよりも前記スライド開放方向にずれた位置に設けて、前記第１カッターと前記第２カッターとの間に前記電子タグシールを貼着可能とし、
前記第２ケース部材を前記スライド開放方向へスライドすると、前記第１カッターと前記第２カッターとが近づくように構成されたことを特徴とする請求項２に記載の遊技機である。
【００１１】
請求項４に記載のものは、前記分割境界は、前記スライド開放方向と交差する境界部分を含むことを特徴とする請求項３に記載の遊技機である。
【００１２】
請求項５に記載のものは、前記基板ボックスは、前記第１ケース部材と前記第２ケース部材とを閉じた状態で封止するための封止機構を備え、前記封止機構を破壊しない限り当該基板ボックスの封止を解除不能とし、
前記封止機構は、
前記第１ケース部材と前記第２ケース部材とを閉じた状態で固着して封止するための主封止機構と、
該主封止機構の破壊後に前記第１ケース部材と前記第２ケース部材とを閉じた状態で再固着して再封止するための副封止機構と、を備え、
前記副封止機構を前記主封止機構よりも破壊し難い構成にしたことを特徴とする請求項４に記載の遊技機である。
【００１３】
請求項６に記載のものは、前記主封止機構には主封止部と主封止具とを備え、
前記主封止部は、前記第１ケース部材に設けられた主封止受部と、前記第２ケース部材に設けられた主封止体とから構成され、
前記主封止具は、前記主封止体と前記主封止受部とを固着可能、且つ固着状態を解除不能とし、
前記副封止機構には副封止部と副封止具とを備え、
前記副封止部は、前記第１ケース部材に設けられた副封止受部と、前記第２ケース部材に設けられた副封止体とから構成され、
前記副封止具は、前記副封止体と前記副封止受部とを固着可能、且つ固着状態を解除不能とし、
前記副封止部の剛性を前記主封止部の剛性よりも強く設定して、前記副封止機構を前記主封止機構よりも破壊し難い構成に設定したことを特徴とする請求項５に記載の遊技機である。
【発明の効果】
【００１４】
本発明によれば、以下のような優れた効果を奏する。
請求項１に記載の発明によれば、遊技制御実行用の電子部品が実装された制御基板と、該制御基板を内部に収納するための基板ボックスと、予め記憶された固有の識別情報を発信可能な電子タグを有する電子タグシールと、を備え、基板ボックスを第１ケース部材と第２ケース部材とに分割して開閉可能とし、電子タグシールを、第１ケース部材と第２ケース部材との分割境界を覆う状態で基板ボックスの表面に貼着する遊技機において、基板ボックスは、第１ケース部材に対して第２ケース部材を分割境界に沿ってスライドして当該基板ボックスを開閉可能とするスライド機構と、電子タグシールを貼着するための貼着部と、電子タグシールを貼着部に貼着された状態で保護するための保護カバー部材と、該保護カバー部材を当該基板ボックスに装着するためのカバー装着機構と、を備え、貼着部は、第１ケース部材に形成される第１貼着部と、第２ケース部材に形成される第２貼着部とに前記分割境界から分割可能とし、カバー装着機構は、第２ケース部材と保護カバー部材の一端部との間に設けられた固着機構と、第１ケース部材と保護カバー部材の他端部との間に設けられた嵌合機構と、を備え、固着機構は、保護カバー部材の一端部を第２ケース部材に固着可能、且つ固着状態を解除不能とし、嵌合機構は、保護カバー部材の他端部を第１ケース部材に嵌合可能、且つ嵌合状態で第２ケース部材とともに該第２ケース部材のスライド方向に沿ってスライド可能としたので、基板ボックスを開放すれば、電子タグシールを嵌合境界に沿って破断することができる。このことから、電子タグシールが破壊されていない状態で部品取りされて不正に再利用される不都合を阻止することができる。また、電子タグシールの剥離を阻止するための保護カバー部材を第１ケース部材と第２ケース部材とに跨って装着したとしても、この保護カバー部材を外さずに基板ボックスを開放することができる。したがって、内部確認のために基板ボックスを開放する作業（例えば、公的機関による開放検査）を迅速に行うことができる。
【００１５】
請求項２に記載の発明によれば、第２ケース部材のスライド方向のうち、基板ボックスを開放する方向をスライド開放方向とするとともに、閉成する方向をスライド閉成方向とし、嵌合機構は、保護カバー部材の他端部に形成されたカバー嵌合片と、第１ケース部材に形成されたカバー嵌合受部と、を嵌合可能な状態で設け、カバー嵌合受部を第２ケース部材のスライド方向に沿って延在する溝状に形成し、カバー嵌合受部は、カバー嵌合片を第２ケース部材のスライド方向とは異なる方向へ嵌脱することを許容する嵌脱許容溝部と、嵌脱することを規制する嵌脱規制溝部と、を連通して構成され、嵌脱許容溝部を嵌脱規制溝部よりもスライド開放方向へずれた位置に設けたので、保護カバー部材を外さずに基板ボックスを開放可能とする嵌合機構を、簡単な構造で実現することができる。
【００１６】
請求項３に記載の発明によれば、貼着部は、第１貼着部に突設された第１カッターと、第２貼着部に突設された第２カッターと、を備え、第１カッターを第２カッターよりもスライド開放方向にずれた位置に設けて、第１カッターと第２カッターとの間に電子タグシールを貼着可能とし、第２ケース部材をスライド開放方向へスライドすると、第１カッターと第２カッターとが近づくように構成したので、基板ボックスの開放作業時に電子タグシールが貼着部上を滑ったとしても、第１カッターと第２カッターとの間に電子タグシールを挟んで切断することができる。
【００１７】
請求項４に記載の発明によれば、前記分割境界には、スライド開放方向と交差する境界部分を含むので、第１貼着部と第２貼着部との離間により形成される電子タグシールの切断縁を複雑な屈曲線状とすることができる。したがって、基板ボックスを閉じた状態において電子タグシールに切断縁が形成されているか否か、ひいては、不正行為者が基板ボックスを開放した、若しくは、基板ボックスの開放を試みたか否かを目視により確認し易い。
【００１８】
請求項５に記載の発明によれば、基板ボックスは、第１ケース部材と第２ケース部材とを閉じた状態で封止するための封止機構を備え、封止機構を破壊しない限り当該基板ボックスの封止を解除不能とし、封止機構は、第１ケース部材と第２ケース部材とを閉じた状態で固着して封止するための主封止機構と、該主封止機構の破壊後に第１ケース部材と第２ケース部材とを閉じた状態で再固着して再封止するための副封止機構と、を備え、副封止機構を主封止機構よりも破壊し難い構成にしたので、主封止機構の破壊後から新品交換までの間に基板ボックスおよび制御基板を仮使用（例えば、基板ボックスおよび制御基板に異常がないことを確認した上で一時的に使用）する場合であっても、副封止機構を用いて基板ボックスを封止することができる。また、遊技機から外されて交換される予定の基板ボックス、言い換えると、仮使用終了後に開封不要な基板ボックスにおいて、副封止機構を無駄に破壊し易くしておかずに済み、制御基板に対するセキュリティが不必要に弱くなる不都合を抑制することができる。
【００１９】
請求項６に記載の発明によれば、主封止機構には主封止部と主封止具とを備え、主封止部は、第１ケース部材に設けられた主封止受部と、第２ケース部材に設けられた主封止体とから構成され、主封止具は、主封止体と主封止受部とを固着可能、且つ固着状態を解除不能とし、副封止機構には副封止部と副封止具とを備え、副封止部は、第１ケース部材に設けられた副封止受部と、第２ケース部材に設けられた副封止体とから構成され、副封止具は、副封止体と副封止受部とを固着可能、且つ固着状態を解除不能とし、副封止部の剛性を主封止部の剛性よりも強く設定して、副封止機構を主封止機構よりも破壊し難い構成に設定したので、副封止機構を無駄に破壊し易くしておかずに済む構成を、簡単に実現することができる。
【図面の簡単な説明】
【００２０】
【図１】前面側を開放した状態のパチンコ遊技機の斜視図である。
【図２】パチンコ遊技機の背面図である。
【図３】遊技制御装置の後方から見た分解斜視図である。
【図４】第１ケース部材の説明図であり、（ａ）は後方から見た斜視図、（ｂ）は前方から見た斜視図である。
【図５】第２ケース部材の説明図であり、（ａ）は後方から見た斜視図、（ｂ）は前方から見た斜視図である。
【図６】嵌脱部に係合片を通した状態の遊技制御装置の背面図である。
【図７】貼着部の説明図である。
【図８】（ａ）は第２貼着部の説明図であり、（ｂ）は第１貼着部の説明図である。
【図９】左側主封止受部および左側副封止受部の説明図であり、（ａ）は背面図、（ｂ）は第１ケース部材の後方から見た斜視図である。
【図１０】左側主封止体および左側副封止体の説明図であり、（ａ）は背面図、（ｂ）は第２ケース部材の前方から見た斜視図である。
【図１１】右側主封止受部および右側副封止受部の説明図であり、（ａ）は背面図、（ｂ）は第１ケース部材の後方から見た斜視図である。
【図１２】右側主封止体および右側副封止体の説明図であり、（ａ）は背面図、（ｂ）は第２ケース部材の前方から見た斜視図である。
【図１３】電子タグシールの説明図であり、（ａ）はベースシート側から見た図、（ｂ）は粘着層側から見た図、（ｃ）は分解斜視図である。
【図１４】保護カバー部材の説明図であり、（ａ）は後方から見た斜視図、（ｂ）は前方から見た斜視図である。
【図１５】（ａ）は貼着部に保護カバー部材を取り付ける動作を示す説明図、（ｂ）は貼着部に保護カバー部材を取り付けた状態の説明図である。
【図１６】嵌脱阻止爪と嵌脱阻止受部との係止状態の説明図であり、（ａ）は第１ケース部材の前方から見た斜視図、（ｂ）は断面図である。
【図１７】基板ボックスの開放手順の説明図であり、（ａ）は第２ケース部材を係合解除方向へスライドした状態の説明図、（ｂ）はスライド後の保護カバー部材の説明図、（ｃ）はスライド後の貼着部および電子タグシールの説明図である。
【図１８】第２ケース部材を係合解除方向へスライドした状態におけるカバー嵌合片およびカバー嵌合受部の断面図である。
【図１９】第２ケース部材とともに保護カバー部材を第１ケース部材から離間した状態の説明図である。
【図２０】（ａ）は第２実施形態における貼着部の説明図、（ｂ）は第２実施形態における保護カバー部材の説明図である。
【図２１】第２実施形態における貼着部の変形例の説明図であり、（ａ）は貼着部の境界部分を屈曲させた状態の説明図、（ｂ）は貼着部の境界部分を湾曲させた状態の説明図である。
【発明を実施するための形態】
【００２１】
以下、代表的な遊技機であるパチンコ遊技機を例に挙げて本発明の実施の形態を図面に基づき説明する。
パチンコ遊技機１は、機枠（外枠）２の前面に、大きな矩形状開口を有する略額縁状の前面枠（内枠）３を開閉可能に軸着し、この前面枠３のベースとなる前面枠本体４に矩形状の遊技盤５を前方から収納可能とし、遊技盤５の表面には遊技領域６を区画形成している。また、前面枠３の前側には、一側（図１中、左側）が軸着された透明部材保持枠８を開閉可能に設け、該透明部材保持枠８に透視可能な透明部材９を保持し、透明部材９を通して遊技領域６をパチンコ遊技機１の前方から透視できるように構成している。さらに、透明部材保持枠８の下方には、一側（図１中、左側）が前面枠３に軸着された上皿ユニット１１を開閉（回動）可能に設け、該上皿ユニット１１の下方には、下皿ユニット１２を上皿ユニット１１に対して左右方向にずれた位置に配置している。そして、下皿ユニット１２の側部（図１中、右側部）には、発射装置（図示せず）を操作するための発射操作ユニット（発射操作ハンドル）１４を備えている。
【００２２】
また、図２に示すように、前面枠本体４の裏面側には裏機構盤１８を形成し、該裏機構盤１８に略矩形状の開口窓部１９を開設し、前面枠本体４に遊技盤５を前方から交換可能な状態で取り付けるとともに、遊技盤５の後部（裏面側部）を開口窓部１９から後方へ臨ませている。さらに、裏機構盤１８には一連の裏機構部品を設けている。具体的に説明すると、裏機構盤１８の上部には球排出機構２０を取り付け、下部にはサブ制御装置の一種である排出制御装置２１、電源装置２２、中継基板２３等をそれぞれ取り付けている。球排出機構２０は、上流側から順に、球導出シュートを下部に備えた球タンク２４、球タンク２４の球導出シュートから遊技球を案内する案内流路２５、案内流路２５の下端に接続された球排出装置２６、球排出装置２６から流下した遊技球を上皿ユニット１１へ送る球流下路２７等を並べて構成されており、排出制御装置２１からの制御信号に基づいて遊技球の排出を実行するように構成されている。
【００２３】
そして、遊技盤５の裏面のうち、裏機構盤１８の開口窓部１９から臨む部分に、略矩形状の大きな遊技盤カバー２８を備えた裏側ベース２９と横長な装着ベース３０とを上下に並べた状態で配置し、上側の裏側ベース２９の内部には、サブ制御装置の一種である演出制御装置（図示せず）を装着し、下側の装着ベース３０の裏面側には、メイン制御装置である遊技制御装置３２を着脱可能な状態で装着している。
【００２４】
次に、遊技制御装置３２について説明する。
遊技制御装置３２は、遊技盤５の左右方向に沿って延在する薄い箱状のユニットであり、図３に示すように、透光性を有して内部を透視可能な樹脂製（例えば無色透明な樹脂製）の基板ボックス３４と、該基板ボックス３４内に収容された矩形状の制御基板３５と、当該遊技制御装置３２を識別するための電子タグシール３６とを備えて構成されており、電子タグシール３６を保護カバー部材３７で保護可能とし、制御基板３５にはＣＰＵ等からなる遊技制御実行用の電子部品３５ａや配線接続用の配線コネクタ３５ｂを実装している。
【００２５】
基板ボックス３４は、装着ベース３０に装着された状態で当該基板ボックス３４の表側（遊技盤５の前寄り）に配置される第１ケース部材（ベース部材）４１と、当該基板ボックス３４の裏側（遊技盤５の後寄り）に配置されて第１ケース部材４１に重合する第２ケース部材（蓋部材）４２とに分割して開閉できるように構成されている。そして、両ケース部材４１，４２を重合して閉じた状態（重合状態または閉状態）で当該基板ボックス３４の内部に制御基板３５を収納可能とし、第２ケース部材４２には、配線コネクタ３５ｂを露出させるためのコネクタ開口４２ａを開設している。また、図３に示すように、基板ボックス３４の上下両縁部には、第１ケース部材４１と第２ケース部材４２とを閉状態で係合する係合機構４３（本発明におけるスライド機構に相当）を備え、基板ボックス３４の裏面側の下部には、電子タグシール３６を貼着するための貼着部４６を電子タグシール３６よりも僅かに広く設定された状態で備えている。そして、基板ボックス３４の左右両側部には、第１ケース部材４１と第２ケース部材４２とを閉じた状態で封止し、且つ破壊しない限り基板ボックス３４の封止を解除不能とする封止機構４７を、第１ケース部材４１と第２ケース部材４２との境界（分割境界）に跨る状態で設けている。
【００２６】
係合機構４３は、第１ケース部材４１の上下両端部に設けられた係合溝部５０（図４（ａ）参照）と、第２ケース部材４２の上下両端部から延設された係合片５１（図５（ａ）参照）とから構成されており、係合溝部５０を基板ボックス３４の横向き延在方向（言い換えると遊技盤５の左右方向）に沿って延在するとともに、基板ボックス３４の中央側へ向けて開放して、係合片５１を係合溝部５０の延在方向に沿って摺動可能としている。また、図４（ａ）に示すように、係合溝部５０の裏側を区画する裏側壁部の側部（図４（ａ）中、右側部）を後方の第２ケース部材４２側へ向けて開放して嵌脱部５２を形成し、該嵌脱部５２を介して係合片５１を係合溝部５０へ嵌脱できるように構成されている。
【００２７】
このような構成の係合機構４３を備えた第１ケース部材４１と第２ケース部材４２とを取り付けるには、まず、第２ケース部材４２を重合方向（図３中、矢印Ａで示す方向）へ移動して第１ケース部材４１へ裏側から近づけ、嵌脱部５２に係合片５１を通して第１ケース部材４１と第２ケース部材４２とを重合する（図６参照）。さらに、第１ケース部材４１に対して第２ケース部材４２を第１ケース部材４１の一側寄り（図６中、左寄り）へ向かう係合方向（図６中、矢印Ｂで示す方向であり、本発明におけるスライド閉成方向に相当）へスライドして係合片５１を係合溝部５０の一側部（図６中、左側部）へ摺動する。すると、係合片５１が基板ボックス３４の裏方向へ移動することを係合溝部５０の裏側壁部により規制され、第１ケース部材４１と第２ケース部材４２とを取り付けて閉じた状態（係合状態）にすることができる。一方、第１ケース部材４１から第２ケース部材４２を外す（分離する）には、第１ケース部材４１に対して第２ケース部材４２を第１ケース部材４１の他側寄り（図６中、右寄り）へ向かう係合解除方向（図６中、矢印Ｃで示す方向であり、本発明におけるスライド開放方向に相当）へスライドして係合片５１を嵌脱部５２へ臨ませ（図６参照）、この状態で第２ケース部材４２を基板ボックス３４の裏方向へ向かう離間方向（図３中、矢印Ｄで示す方向）へ移動して第１ケース部材４１から離間する。したがって、第２ケース部材４２は、基板ボックス３４の重合方向Ａへ移動した後に係合方向Ｂへスライドして第１ケース部材４１へ係合される。一方、第１ケース部材４１への係合状態から係合解除方向Ｃへスライドした後に離間方向Ｄへ移動すれば、第１ケース部材４１から離間する。この結果、基板ボックス３４は、係合機構４３により第２ケース部材４２を分割境界に沿ってスライドして開閉可能となる。
【００２８】
貼着部４６は、図３〜図５に示すように、第１ケース部材４１に形成された第１貼着部５７と、第２ケース部材４２に形成された第２貼着部５９とからなり、電子タグシール３６を第１ケース部材４１と第２ケース部材４２とに跨って貼着可能、言い換えると、第１ケース部材４１と第２ケース部材４２との分割境界を覆う状態で基板ボックス３４の表面に貼着可能としている。さらに、第１貼着部５７と第２貼着部５９とを、第１ケース部材４１と第２ケース部材４２とを取付・分離するための移動方向（重合方向Ａ、係合方向Ｂ、係合解除方向Ｃ、離間方向Ｄ）に沿って移動して当該貼着部４６を形成したり基板ボックス３４の分割境界から分割したりできるように構成されている。
【００２９】
具体的に説明すると、図７および図８（ｂ）に示すように、第１ケース部材４１の下部から横長な突出部６０を後方の第２ケース部材４２側へ突出し、該突出部６０の先端（突出端）および下面部に第１貼着部５７を設けている。また、図７および図８（ａ）に示すように、第２ケース部材４２の裏面側（言い換えるとパチンコ遊技機１の後方に露出する側）の下部には、第２貼着部５９を起立矩形状で形成している。そして、該第２貼着部５９の下端と第１貼着部５７の上端とを接続して、貼着部４６の下部が基板ボックス３４の表側（言い換えると装着ベース３０に対向する側）へ向けて屈曲した状態となるように構成されている（図７参照）。なお、貼着部４６の周辺の構成については後で詳細に説明する。
【００３０】
次に、封止機構（かしめ機構）４７について説明する。
封止機構４７は、図３に示すように、基板ボックス３４のうち遊技盤５の裏側から見て左端部（図３中、左端部）に位置する左側封止機構（言い換えると基板ボックス３４の中央部分から係合方向Ｂの先に位置する一側封止機構）４７Ｌと、基板ボックス３４のうち遊技盤５の裏側から見て右端部（図３中、右端部）に位置する右側封止機構（言い換えると基板ボックス３４の中央部分から係合解除方向Ｃの先に位置する他側封止機構）４７Ｒと、から構成されている。
【００３１】
左側封止機構４７Ｌは、第１ケース部材４１と第２ケース部材４２とを閉状態で固着して封止するための左側主封止機構６６（本発明における主封止機構の一種）と、該左側主封止機構６６の破壊後に第１ケース部材４１と第２ケース部材４２とを閉状態で再固着して封止するための左側副封止機構６７（本発明における副封止機構の一種）とを上下に並んだ状態で備え、左側主封止機構６６を基板ボックス３４の下寄りに配置するとともに左側副封止機構６７を基板ボックス３４の上寄りに配置している。
【００３２】
左側主封止機構６６は、図３〜図５に示すように、基板ボックス３４の一側（図３中、左側）に接続された左側主封止部７０（本発明における主封止部の一種）と、ワンウェイねじ等の左側主封止具７１（本発明における主封止具の一種）と、左側主封止具７１を被覆する左側主封止カバー７２とを備えている。左側主封止部７０は、第１ケース部材４１に設けられた左側主封止受部７３（本発明における主封止受部の一種）と、第２ケース部材４２に設けられた左側主封止体７４（本発明における主封止体の一種）とから構成されている。具体的に説明すると、図４（ａ）および図９に示すように、左側主封止受部７３を中心軸が重合方向Ａまたは離間方向Ｄに沿う円筒状に形成し、左側主封止受部７３の側面から左側主封止受ブラケット７３ａを突設して第１ケース部材４１の一側面（図４（ａ）中、左側面）へ接続している。また、図５（ａ）および図１０に示すように、左側主封止体７４を左側主封止受部７３よりもひと回り大きく、且つ中心軸が重合方向Ａまたは離間方向Ｄに沿う円筒状に形成し、左側主封止体７４の側面から左側主封止ブラケット７４ａを突設して第２ケース部材４２の一側面（図５（ａ）中、左側面）へ接続している。さらに、左側主封止体７４には、左側主封止具７１を挿入するための左側主封止挿入口７４ｂを離間方向Ｄへ向けて開放し、該左側主封止挿入口７４ｂを左側主封止カバー７２で閉塞可能としている（図３参照）。そして、第１ケース部材４１と第２ケース部材４２とを重合して閉じると、左側主封止受部７３と左側主封止体７４とが重合方向Ａまたは離間方向Ｄに沿って並んで位置し、この状態で左側主封止具７１を左側主封止挿入口７４ｂから挿入して締め込むと、左側主封止具７１が左側主封止体７４と左側主封止受部７３とを固着し、且つこの固着状態を解除不能とするように構成されている。
【００３３】
左側副封止機構６７は、図３〜図５に示すように、基板ボックス３４の一側（図３中、左側）に接続された左側副封止部７８（本発明における副封止部の一種）と、ワンウェイねじ等の左側副封止具７９（本発明における副封止具の一種）とを備えている。左側副封止部７８は、第１ケース部材４１に設けられた左側副封止受部８０（本発明における副封止受部の一種）と、第２ケース部材４２に設けられた左側副封止体８１（本発明における副封止体の一種）とから構成されている。具体的に説明すると、図４（ａ）および図９に示すように、左側副封止受部８０を中心軸が重合方向Ａまたは離間方向Ｄに沿う円筒状に形成し、左側副封止受部８０の側面から左側副封止受ブラケット８０ａを突設して第１ケース部材４１の一側面（図４（ａ）中、左側面）のうち左側主封止受ブラケット７３ａよりも上方の位置に接続し、さらには左側副封止受ブラケット８０ａと左側主封止受ブラケット７３ａとを上下に連結している。また、図５（ａ）および図１０に示すように、左側副封止体８１を左側副封止受部８０よりもひと回り大きく、且つ中心軸が重合方向Ａまたは離間方向Ｄに沿う円筒状に形成し、左側副封止体８１の側面から左側副封止ブラケット８１ａを突設して第２ケース部材４２の一側面（図５（ａ）中、左側面）のうち左側主封止ブラケット７４ａよりも上方の位置へ接続し、左側副封止体８１には、左側副封止具７９を挿入するための左側副封止挿入口８１ｂを離間方向Ｄへ向けて開放している。そして、第１ケース部材４１と第２ケース部材４２とを重合して閉じると、左側副封止受部８０と左側副封止体８１とが重合方向Ａまたは離間方向Ｄに沿って並んで位置し、この状態で左側副封止具７９を左側副封止挿入口８１ｂから挿入して締め込むと、左側副封止具７９が左側副封止体８１と左側副封止受部８０とを固着し、且つこの固着状態を解除不能とするように構成されている。
【００３４】
右側封止機構４７Ｒは、第１ケース部材４１と第２ケース部材４２とを閉状態で固着して封止するための右側主封止機構８６（本発明における主封止機構の一種）と、該右側主封止機構８６の破壊後に第１ケース部材４１と第２ケース部材４２とを閉状態で再固着して封止するための右側副封止機構８７（本発明における副封止機構の一種）とを上下に並んだ状態で備え、右側主封止機構８６を基板ボックス３４の上寄りに配置するとともに右側副封止機構８７を基板ボックス３４の下寄りに配置している。
【００３５】
右側主封止機構８６は、図３〜図５に示すように、基板ボックス３４の他側（図３中、右側）に接続された右側主封止部９０（本発明における主封止部の一種）と、ワンウェイねじ等の右側主封止具９１（本発明における主封止具の一種）と、右側主封止具９１を被覆する右側主封止カバー９２とを備えている。右側主封止部９０は、第１ケース部材４１に設けられた右側主封止受部９３（本発明における主封止受部の一種）と、第２ケース部材４２に設けられた右側主封止体９４（本発明における主封止体の一種）とから構成されている。具体的に説明すると、図４（ａ）および図１１に示すように、右側主封止受部９３を中心軸が重合方向Ａまたは離間方向Ｄに沿う円筒状に形成し、右側主封止受部９３の外周面から右側主封止受ブラケット９３ａを突設して第１ケース部材４１の他側面（図４（ａ）中、右側面）へ接続している。さらに、図５（ａ）および図１２に示すように、右側主封止体９４を右側主封止受部９３よりもひと回り大きく、且つ中心軸が重合方向Ａまたは離間方向Ｄに沿う円筒状に形成し、右側主封止体９４の側面から右側主封止ブラケット９４ａを突設して第２ケース部材４２の他側面（図５（ａ）中、右側面）へ接続し、右側主封止体９４には、右側主封止具９１を挿入するための右側主封止挿入口９４ｂを離間方向Ｄへ向けて開放し、右側主封止挿入口９４ｂを右側主封止カバー９２で閉塞可能としている（図３参照）。また、図５（ｂ）および図１２（ｂ）に示すように、右側主封止体９４のうち右側主封止受部９３側の端部（前端部）には円弧状の主封止係合ストッパー９４ｃを設け、右側主封止体９４が係合方向Ｂに沿って移動すると、主封止係合ストッパー９４ｃが右側主封止受部９３へ係合して、右側主封止体９４と右側主封止受部９３とが中心軸を揃えて位置決めできるように構成されている。そして、第１ケース部材４１と第２ケース部材４２とを重合して閉じると、右側主封止受部９３と右側主封止体９４とが重合方向Ａまたは離間方向Ｄに沿って並んで位置し、この状態で右側主封止具９１を右側主封止挿入口９４ｂから挿入して締め込むと、右側主封止具９１が右側主封止体９４と右側主封止受部９３とを固着し、且つこの固着状態を解除不能とするように構成されている。
【００３６】
右側副封止機構８７は、図３〜図５に示すように、基板ボックス３４の他側（図３中、右側）に接続された右側副封止部９８（本発明における副封止部の一種）と、ワンウェイねじ等の右側副封止具９９（本発明における副封止具の一種）とを備えている。右側副封止部９８は、第１ケース部材４１に設けられた右側副封止受部１００（本発明における副封止受部の一種）と、第２ケース部材４２に設けられた右側副封止体１０１（本発明における副封止体の一種）とから構成されている。具体的に説明すると、図４（ａ）および図１１に示すように、右側副封止受部１００を中心軸が重合方向Ａまたは離間方向Ｄに沿う円筒状に形成し、右側副封止受部１００の側面から右側副封止受ブラケット１００ａを突設して第１ケース部材４１の他側面（図４（ａ）中、右側面）のうち右側主封止受ブラケット９３ａよりも下方の位置に接続し、さらには右側副封止受ブラケット１００ａと右側主封止受ブラケット９３ａとを上下に連結している。また、図５（ａ）および図１２に示すように、右側副封止体１０１を右側副封止受部１００よりもひと回り大きく、且つ中心軸が重合方向Ａまたは離間方向Ｄに沿う円筒状に形成し、右側副封止体１０１の側面から右側副封止ブラケット１０１ａを突設して第２ケース部材４２の他側面（図５（ａ）中、右側面）のうち右側主封止ブラケット９４ａよりも下方の位置へ接続し、右側副封止体１０１には、右側副封止具９９を挿入するための右側副封止挿入口１０１ｂを離間方向Ｄへ向けて開放している。さらに、図５（ｂ）および図１２（ｂ）に示すように、右側副封止体１０１のうち右側副封止受部１００側の端部（前端部）には円弧状の副封止係合ストッパー１０１ｃを設け、右側副封止体１０１が係合方向Ｂに沿って移動すると、副封止係合ストッパー１０１ｃが右側副封止受部１００へ係合して、右側副封止体１０１と右側副封止受部１００とが中心軸を揃えて位置決めできるように構成されている。そして、第１ケース部材４１と第２ケース部材４２とを重合して閉じると、右側副封止受部１００と右側副封止体１０１とが重合方向Ａまたは離間方向Ｄに沿って並んで位置し、この状態で右側副封止具９９を右側副封止挿入口１０１ｂから挿入して締め込むと、右側副封止具９９が右側副封止体１０１と右側副封止受部１００とを固着し、且つこの固着状態を解除不能とするように構成されている。
【００３７】
さらに、封止機構４７は、左側副封止部７８の剛性を左側主封止部７０の剛性よりも強く設定して、左側副封止機構６７を左側主封止機構６６よりも破壊し難い構成とし、さらには、右側副封止部９８の剛性を右側主封止部９０の剛性よりも強く設定して、右側副封止機構８７を右側主封止機構８６よりも破壊し難い構成にしている。詳しくは、基板ボックス３４の中央部分から見て係合解除方向Ｃの上流側に位置する左側封止機構４７Ｌにおいては、図１０に示すように、左側主封止部７０のうち左側主封止体７４を支持する左側主封止ブラケット７４ａを、左側主封止体７４側から第１ケース部材４１側へ向かうにつれて上下幅が次第に縮幅する形状とし、左側主封止ブラケット７４ａの裏面（左側主封止受部７３側に臨ませた面）には支持リブを１つ立設している。一方、左側副封止部７８のうち左側副封止体８１を支持する左側副封止ブラケット８１ａの上下幅を、左側副封止体８１側から第１ケース部材４１側に亘って均一であり、且つ左側主封止ブラケット７４ａの上下幅よりも広い寸法に設定している。また、左側副封止ブラケット８１ａの裏面（左側副封止受部８０側に臨ませた面）には支持リブを３つ立設している。このような構成を備えることにより、左側副封止ブラケット８１ａの断面積を左側主封止ブラケット７４ａの断面積よりも広くして、左側副封止ブラケット８１ａを左側主封止ブラケット７４ａよりも破断し難い構成とし、左側副封止部７８の剛性を左側主封止部７０の剛性よりも強く設定している。この結果、左側封止機構４７Ｌは、左側副封止機構６７を左側主封止機構６６よりも破壊し難い構成、言い換えると、第１ケース部材４１と第２ケース部材４２とを閉じた状態で封止する機能を失い難く、基板ボックス３４の開放を許容し難い構成に設定している。
【００３８】
また、基板ボックス３４の中央部分から見て係合解除方向Ｃの下流側に位置する右側封止機構４７Ｒにおいては、図１１に示すように、右側主封止部９０のうち右側主封止受部９３を支持する右側主封止受ブラケット９３ａを、上下方向の中間部分に開口が開設された中空形状としている。一方、右側副封止部９８のうち右側副封止受部１００を支持する右側副封止受ブラケット１００ａを開口が開設されていない中実形状としている。このような構成を備えることにより、右側副封止受ブラケット１００ａの断面積を右側主封止受ブラケット９３ａの断面積よりも広くして、右側副封止受ブラケット１００ａを右側主封止受ブラケット９３ａよりも破断し難い構成とし、右側副封止部９８の剛性を右側主封止部９０の剛性よりも強く設定している。この結果、右側封止機構４７Ｒは、右側副封止機構８７を右側主封止機構８６よりも破壊し難い構成、言い換えると、第１ケース部材４１と第２ケース部材４２とを閉じた状態で封止する機能を失い難く、基板ボックス３４の開放を許容し難い構成に設定している。
【００３９】
次に、電子タグシール３６について説明する。
電子タグシール３６は、図１３に示すように、不透明なシート材で形成された矩形状のベースシート１１６と、該ベースシート１１６の裏面側に貼着された長尺な電子タグ１１７とを備えて構成されている。また、該電子タグ１１７には、遊技制御装置３２に関する固有の識別情報（例えば、識別ＩＤ）が予め記憶されたチップ部（ＩＣチップ）１１８と、識別情報を発信可能なアンテナ部１１９とを備え（図１３（ｂ），（ｃ）参照）、アンテナ部１１９から発信された識別情報を外部読取装置（図示せず）により読み取って、遊技制御装置３２が正規品であるか否かを確認可能としている。また、図１３（ｂ）に示すように、矩形状のベースシート１１６の裏面側の対角線に沿って長尺なアンテナ部１１９を直線状に配置し、該アンテナ部１１９の中央部分にチップ部１１８を配置し、電子タグシール３６を貼着部４６へ貼着すると、電子タグ１１７が第１ケース部材４１と第２ケース部材４２との分割境界に交差して跨るように設定されている。
【００４０】
そして、図１３（ａ）に示すように、電子タグシール３６の表面（ベースシート１１６の表面）、詳しくは、貼着部４６へ貼着した状態で遊技盤５の裏面側に位置する面には「開封禁止」の文字を印刷し、電子タグ１１７（チップ部１１８およびアンテナ部１１９）を含む電子タグシール３６の裏面全体、詳しくは、貼着部４６に対向する面の全体には粘着層１２０を設け、該粘着層１２０を介して電子タグシール３６を貼着部４６へ貼着可能としている。なお、アンテナ部１１９は、ベースシート１１６の対角線上に一直線に配置することが望ましいが、ベースシート１１６の対角線に平行な状態、あるいは多少傾斜した状態で配置してもよい。また、ベースシート１１６は、シール剥がし等の溶剤が付着したり、あるいは粘着層１２０の粘度が十分に低下する温度（例えば６０度）まで加熱されたりした場合には変色するように構成されている。したがって、不正行為者が不正に電子タグシール３６を貼着部４６から剥がそうとしたことをベースシート１１６の変色により把握することができる。
【００４１】
なお、電子タグシール３６は、図１３（ａ）に示すように、「開封禁止」の文字の上下方向の中央よりも下方に位置し、チップ部１１８を含む下半部分（一部分）を第１シール部３６ａとし、該第１シール部３６ａよりも上側の上半部分（他部分）を第２シール部３６ｂとしている。そして、第１シール部３６ａを第１貼着部５７へ貼着するとともに、第２シール部３６ｂを第２貼着部５９へ貼着するように構成されている。
【００４２】
次に、電子タグシール３６を貼着部４６に貼着された状態で保護する保護カバー部材３７や、貼着部４６または貼着部４６の周辺に設けられた構成について説明する。
保護カバー部材３７は、図１４に示すように、下部が前方の第１ケース部材４１側へ向けて屈曲した屈曲板状の部材であり、電子タグシール３６よりもひと回り大きく形成されて、電子タグシール３６の全体を十分に被覆できるように構成されている。また、当該保護カバー部材３７の前寄りに位置する屈曲平面部分を第１カバー体３７ａとして第１貼着部５７の下部の延在方向と同じ方向へ延在させ、当該保護カバー部材３７の後寄りに位置する起立平面部分を第２カバー体３７ｂとして第２貼着部５９の延在方向と同じ方向へ延在させている。そして、電子タグシール３６が貼着された貼着部４６に保護カバー部材３７を装着すると、第１カバー体３７ａが第１シール部３６ａのうち基板ボックス３４の下方を向いた部分を被覆するとともに、第２カバー体３７ｂが第１シール部３６ａのうち基板ボックス３４の後方を向いた部分と第２シール部３６ｂとを被覆するように構成されている。
【００４３】
また、基板ボックス３４のうち、貼着部４６の周辺に位置する部分と保護カバー部材３７との間には、保護カバー部材３７を基板ボックス３４に装着するためのカバー装着機構１２３を備えている。カバー装着機構１２３は、第２カバー体３７ｂの上端部（言い換えると、屈曲形状の保護カバー部材３７の一端部）と第２ケース部材４２との間に設けられた固着機構１２４と、第１カバー体３７ａの前端部（言い換えると、屈曲形状の保護カバー部材３７の他端部）と第１ケース部材４１との間に設けられた嵌合機構１２５とから構成されている。
【００４４】
固着機構１２４は、第２カバー体３７ｂの上端部を第２ケース部材４２に固着するための機構であり、第２カバー体３７ｂの上端部に突設されたカバー固着部１２７（図１４（ａ）参照）と、貼着部４６（第２貼着部５９）の上縁部の上方に設けられたカバー固着受部１２８（図８（ａ）参照）と、カバー固着部１２７をカバー固着受部１２８に固着するワンウェイねじ等のカバー固着具１２９（図３参照）とを備え、カバー固着部１２７には、カバー固着具１２９を挿入するための固着挿入口１２７ａを開設し、該固着挿入口１２７ａを固着キャップ１３０（図３参照）で閉塞可能としている。そして、保護カバー部材３７を貼着部４６に装着して電子タグシール３６を被覆すると、カバー固着部１２７とカバー固着受部１２８とが重なり、この状態でカバー固着具１２９を固着挿入口１２７ａから挿入して締め込むと、カバー固着具１２９がカバー固着部１２７とカバー固着受部１２８とを固着して、保護カバー部材３７の一端部を第２ケース部材４２に固着可能、且つこの固着状態を解除不能とするように構成されている。
【００４５】
嵌合機構１２５は、第１カバー体３７ａの前端部を第１ケース部材４１に嵌合するための機構であり、第１カバー体３７ａの前端部の左右両側にそれぞれ舌片状で形成された２つのカバー嵌合片１３２（図１４（ｂ）参照）と、第１ケース部材４１のうち貼着部４６（第１貼着部５７）の前縁部の前方に形成されたカバー嵌合受部１３３（図８（ｂ）参照）と、を嵌合可能な状態で備えている。また、カバー嵌合受部１３３を被ガイド部として機能させるとともにカバー嵌合片１３２をガイド部として機能させ、被ガイド部がガイド部に沿って係合方向Ｂまたは係合解除方向Ｃに案内されるように構成されている。嵌合機構１２５の構成を具体的に説明すると、図１４に示すように、カバー嵌合片１３２を第１カバー体３７ａの前端部から前方の第１ケース部材４１側へ向けて突出し、該カバー嵌合片１３２の下面（カバー嵌合片１３２のうち、当該カバー嵌合片１３２を挟んで第１貼着部５７とは反対側に臨ませた面）には嵌脱阻止爪１３２ａを突設している。また、図８（ｂ）に示すように、カバー嵌合受部１３３を基板ボックス３４の前後方向に沿って貫通し、且つ係合方向Ｂまたは係合解除方向Ｃに沿って延在する溝状に形成し、カバー嵌合受部１３３のうち係合解除方向Ｃの下流側（図８（ｂ）中、右側）に位置する箇所を嵌脱許容溝部１３５とし、係合解除方向Ｃの上流側（図８（ｂ）中、左側）に位置する箇所を嵌脱規制溝部１３６としている。言い換えると、カバー嵌合受部１３３を嵌脱規制溝部１３６と嵌脱許容溝部１３５とを連通して構成し、嵌脱許容溝部１３５を嵌脱規制溝部１３６よりも係合解除方向Ｃ（図８（ｂ）中、右方向）へずれた位置に設けている。
【００４６】
嵌脱許容溝部１３５は、当該嵌脱許容溝部１３５の横幅（係合方向Ｂまたは係合解除方向Ｃに沿った幅）をカバー嵌合片１３２の横幅よりも広く設定するとともに、縦幅（上下幅）をカバー嵌合片１３２のうち嵌脱阻止爪１３２ａが含まれる部分の厚さ（最大厚さ）ｔ１よりも広く設定して（図１８参照）、カバー嵌合片１３２を重合方向Ａまたは離間方向Ｄ、言い換えると第２ケース部材４２のスライド方向（係合方向Ｂまたは係合解除方向Ｃ）とは異なる方向に沿って嵌脱することを許容している。
【００４７】
嵌脱規制溝部１３６は、当該嵌脱規制溝部１３６の横幅（係合方向Ｂまたは係合解除方向Ｃに沿った幅）をカバー嵌合片１３２の横幅よりも広く設定し、当該嵌脱規制溝部１３６の下縁部には嵌脱阻止受部１３６ａを突設して、カバー嵌合片１３２を第２ケース部材４２のスライド方向（係合方向Ｂまたは係合解除方向Ｃ）とは異なる方向に沿って嵌脱することを規制している。具体的には、カバー嵌合片１３２を重合方向Ａに沿って移動して嵌脱規制溝部１３６に嵌合（挿入）しようとすると、嵌脱阻止爪１３２ａが嵌脱阻止受部１３６ａに引っ掛かってカバー嵌合片１３２の嵌合を規制し、嵌脱規制溝部１３６にカバー嵌合片１３２を嵌合して嵌脱阻止受部１３６ａに嵌脱阻止爪１３２ａを第１ケース部材４１側から係止した場合には、カバー嵌合片１３２を離間方向Ｄに移動して嵌脱規制溝部１３６から引き出すことを規制するように構成されている。
【００４８】
また、図１６（ｂ）に示すように、嵌脱阻止受部１３６ａの上縁部と第１貼着部５７との離間距離（詳しくは、第１貼着部５７の延在方向とは直交する上下方向の離間距離）ｄ１を、嵌脱阻止爪１３２ａからずれた位置におけるカバー嵌合片１３２の厚さよりも広く、且つカバー嵌合片１３２の最大厚さｔ１よりも狭い寸法に設定している。さらに、嵌脱阻止受部１３６ａのうち第１貼着部５７側（言い換えると、カバー嵌合片１３２の挿入口となる側）の隅部を面取りして、この面取り部分と第１貼着部５７の前縁部（嵌脱規制溝部１３６側の縁部）との離間距離ｄ２をカバー嵌合片１３２の最大厚さｔ１よりも広く設定し、嵌脱規制溝部１３６の上縁部の第１ケース部材４１側には、カバー嵌合片１３２との干渉を避けるための切欠部１３６ｂを形成している。したがって、第１カバー体３７ａを重合方向Ａへ向けて上り傾斜させて、カバー嵌合片１３２を面取り部分の傾斜方向に沿わせた姿勢では、カバー嵌合片１３２および嵌脱阻止爪１３２ａが嵌脱規制溝部１３６および切欠部１３６ｂを通ってカバー嵌合受部１３３内に進入するように構成されている。
【００４９】
そして、基板ボックス３４は、図７および図８に示すように、貼着部４６の第１貼着部５７に第１カッター１４６を突設するとともに、第２貼着部５９には第２カッター１４７を突設し、第１カッター１４６を第２カッター１４７よりも係合解除方向Ｃにずれた位置に設けている。具体的には、図７および図８（ｂ）に示すように、第１貼着部５７の上縁部のうち係合解除方向Ｃの下流側（図８（ｂ）中、右側）の位置に第１カッター１４６を刃先が係合解除方向Ｃに向いた姿勢で設け、第２貼着部５９の下縁部のうち係合解除方向Ｃの上流側（図８（ｂ）中、左側）の位置に第２カッター１４７を刃先が係合方向Ｂに向いた姿勢で設けている。さらに、基板ボックス３４を閉じた状態においては、第１カッター１４６と第２カッター１４７との離間距離を電子タグシール３６の横幅よりもわずかに広くなる状態に設定し（図７参照）、第１カッター１４６と第２カッター１４７との間に電子タグシール３６を貼着可能としている。なお、保護カバー部材３７のうち貼着部４６側に向いた面には、第１カッター１４６を収納する第１収納凹部１４８と、第２カッター１４７を収納する第２収納凹部１４９を設け、第１収納凹部１４８を係合解除方向Ｃに沿って延在する溝状に形成し、第２収納凹部１４９を第１収納凹部１４８から係合解除方向Ｃへずらした位置に設定している。
【００５０】
上記構成を備えた遊技制御装置３２を組み立てるには、まず、第２ケース部材４２の内側に制御基板３５を止着して配線コネクタ３５ｂをコネクタ開口４２ａに臨ませ、この状態で第２ケース部材４２を制御基板３５と第１ケース部材４１の内側とが対向する姿勢に設定する。第２ケース部材４２の姿勢を設定したならば、図６に示すように、第２ケース部材４２を重合方向Ａに沿って移動して第１ケース部材４１へ重合させるとともに、係合片５１を嵌脱部５２へ通す。そして、第２ケース部材４２を係合方向Ｂへスライドして係合片５１を係合溝部５０へ係合させて第１ケース部材４１と第２ケース部材４２とを係合状態（閉じた状態）にする。すると、基板ボックス３４は、左側主封止体７４と左側主封止受部７３、左側副封止体８１と左側副封止受部８０、右側主封止体９４と右側主封止受部９３、右側副封止体１０１と右側副封止受部１００をそれぞれ重合する。また、第１貼着部５７と第２貼着部５９とを左右両縁部がそれぞれ揃う状態で連結する。
【００５１】
第１ケース部材４１と第２ケース部材４２とを係合して閉じたならば、第１ケース部材４１と第２ケース部材４２とを閉じた状態で封止する。具体的には、左側主封止体７４と左側主封止受部７３とを左側主封止具７１で固着し、右側主封止体９４と右側主封止受部９３とを右側主封止具９１で固着する。さらに、左側主封止挿入口７４ｂに左側主封止カバー７２を溶着する等して閉塞して左側主封止体７４内の左側主封止具７１の頭部を被覆する一方、右側主封止挿入口９４ｂに右側主封止カバー９２を溶着する等して閉塞して右側主封止体９４内の右側主封止具９１の頭部を被覆する。なお、左側副封止体８１には左側副封止具７９を左側副封止挿入口８１ｂから挿入するが、左側副封止具７９の先端を左側副封止受部８０に到達させずに左側副封止体８１内で留まる状態（仮止め状態）とし、左側副封止体８１と左側副封止受部８０とを固着しない。また、右側副封止体１０１には右側副封止具９９を右側副封止挿入口１０１ｂから挿入するが、右側副封止具９９の先端を右側副封止受部１００に到達させずに右側副封止体１０１内で留まる状態（仮止め状態）とし、右側副封止体１０１と右側副封止受部１００とを固着しない。
【００５２】
そして、図１５（ａ）に示すように、電子タグシール３６を貼着部４６のうち第１カッター１４６と第２カッター１４７との間に貼着する。すると、電子タグシール３６は、当該電子タグシール３６の下部を折り曲げて第１貼着部５７の下部へ貼着し、第１貼着部５７と第２貼着部５９との境界にアンテナ部１１９のうちチップ部１１８の近傍に位置する箇所を交差させる。貼着部４６に電子タグシール３６を貼着したならば、貼着部４６に保護カバー部材３７をカバー嵌合片１３２の先端部がカバー嵌合受部１３３へ向けて上り傾斜した姿勢で近づけ、この傾斜姿勢でカバー嵌合片１３２をカバー嵌合受部１３３の嵌脱規制溝部１３６へ嵌合し、嵌合後にカバー嵌合片１３２を中心に保護カバー部材３７を上方へ回動する。すると、図１６に示すように、嵌脱阻止爪１３２ａと嵌脱阻止受部１３６ａとが係止してカバー嵌合片１３２が嵌脱規制溝部１３６から抜けることを阻止される。また、カバー固着受部１２８とカバー固着部１２７とが重合する。この状態でカバー固着部１２７とカバー固着受部１２８とをカバー固着具１２９で固着し、さらには、固着挿入口１２７ａに固着キャップ１３０を溶着する等して閉塞すれば、保護カバー部材３７の装着が完了する（図１５（ｂ）参照）。このようにして遊技制御装置３２を組み立てたならば、遊技制御装置３２を第１ケース部材４１が装着ベース３０に対向する姿勢に設定し、この状態で装着ベース３０へ装着する。このとき、貼着部４６には保護カバー部材３７を装着しているので、電子タグシール３６が不用意に傷ついたりして識別情報を発信不能となる不都合を未然に防ぐことができる。
【００５３】
また、組み立てられた遊技制御装置３２において、電子タグシール３６を剥がさずに基板ボックス３４を不正に開放しようとすると、次のようになる。まず、遊技制御装置３２を装着ベース３０から外し、左側主封止部７０の左側主封止ブラケット７４ａおよび右側主封止部９０の右側主封止受ブラケット９３ａを工具（例えばニッパー）で切断して左側主封止機構６６および右側主封止機構８６を破壊し、第２ケース部材４２が左側主封止機構６６から係合解除方向Ｃへ離れること、および右側主封止機構８６が第１ケース部材４１から係合解除方向Ｃへ離れることを許容する。第２ケース部材４２の係合解除方向Ｃへの移動を許容した後、保護カバー部材３７を装着したまま第２ケース部材４２を係合解除方向Ｃへスライドすると、遊技制御装置３２は、図１７（ａ）および（ｂ）に示すように、カバー嵌合片１３２を嵌脱規制溝部１３６から嵌脱許容溝部１３５へ移動して保護カバー部材３７を第２ケース部材４２とともに係合解除方向Ｃへスライドする。また、図１７（ｃ）に示すように、電子タグシール３６を第１貼着部５７と第２貼着部５９との境界に沿って破断し、電子タグ１１７を破壊する。したがって、基板ボックス３４を開放すれば、電子タグシール３６を嵌合境界に沿って破断することができる。このことから、電子タグシール３６が破壊されていない状態で部品取りされて不正に再利用される不都合を阻止することができる。それだけではなく、電子タグシール３６の発信機能（詳しくは識別情報を発信する機能）を無効化することが可能となる。また、識別情報が発信されないことに基づいて、基板ボックス３４が不正に開放されたことを把握することができる。さらに、不正行為が行われた後で電子タグシール３６の発信機能が再利用される不都合を阻止することができる。
【００５４】
なお、不正行為者が基板ボックス３４を不正に開放する際に、第１シール部３６ａの粘着力または第２シール部３６ｂの粘着力を弱めた場合には、第１シール部３６ａまた第２シール部３６ｂが貼着部４６を滑ってしまい、第２ケース部材４２を係合解除方向Ｃへスライドしたとしても電子タグシール３６が破断しない虞がある。しかしながら、基板ボックス３４は、第１貼着部５７に第１カッター１４６を備えるとともに、第２貼着部５９には第２カッター１４７を備え、第１カッター１４６と第２カッター１４７との間に電子タグシール３６を貼着している。そして、第２ケース部材４２を係合解除方向Ｃへスライドすると、図１７（ｃ）に示すように、第１カッター１４６と第２カッター１４７とが近づく。この結果、基板ボックス３４の開放作業時に電子タグシール３６が貼着部４６上を滑ったとしても、第１カッター１４６と第２カッター１４７との間に電子タグシール３６を挟んで切断することができる。
【００５５】
そして、遊技制御装置３２に対して不正行為が行われた可能性がある場合には、所轄の警察もしくは遊技場側の正規な作業（不正行為を伴わない作業）により、左側主封止機構６６および右側主封止機構８６を破壊して基板ボックス３４を開放し、目視等により制御基板３５に不正部品が搭載されていないか否か等のチェックが行われる。ここで、基板ボックス３４の開放作業においては、保護カバー部材３７を取り外さずに第１ケース部材４１と第２ケース部材４２とを離間することができる。具体的には、各主封止機構６６，８６を破壊してから第２ケース部材４２を係合解除方向Ｃへスライドすると、図１７（ｂ）および図１８に示すように、カバー嵌合片１３２が嵌脱規制溝部１３６から嵌脱許容溝部１３５へ移動する。この状態で第２ケース部材４２を離間方向Ｄへ移動すると、図１９に示すように、カバー嵌合片１３２が嵌脱許容溝部１３５から離間方向Ｄへ抜けて保護カバー部材３７と第１ケース部材４１との係合を解除し、第２ケース部材４２が保護カバー部材３７を固着した状態で第１ケース部材４１から離れる。このように、嵌合機構１２５がカバー嵌合片１３２を第１ケース部材４１のカバー嵌合受部１３３に嵌合した状態で係合解除方向Ｃにスライド可能とし、カバー嵌合受部１３３には、カバー嵌合片１３２の嵌脱を許容する嵌脱許容溝部１３５を嵌脱規制溝部１３６よりも係合解除方向Ｃへずれた位置に設けたので、電子タグシール３６の剥離を阻止するための保護カバー部材３７を第１ケース部材４１と第２ケース部材４２とに跨って装着したとしても、この保護カバー部材３７を外さずに基板ボックス３４を開放することができる。したがって、内部確認のために基板ボックス３４を開放する作業（例えば、公的機関による開放検査）を迅速に行うことができる。また、保護カバー部材３７を外さずに基板ボックス３４を開放可能とする嵌合機構１２５を、簡単な構造で実現することができる。
【００５６】
そして、基板ボックス３４内のチェックの結果、遊技制御装置３２に異常が認められなかった場合には、交換用の新たな遊技制御装置３２が準備できるまで（例えば、メーカーから遊技場に到着するまで）の間に限り、チェック済みの遊技制御装置３２を電子タグシール３６が破れた状態で再び組み立てて仮使用する。
【００５７】
遊技制御装置３２の再組立について説明すると、まず、制御基板３５を第２ケース部材４２から外している場合には、制御基板３５を第２ケース部材４２の内側へ止着して配線コネクタ３５ｂをコネクタ開口４２ａに臨ませ、この状態で第２ケース部材４２を制御基板３５と第１ケース部材４１の内側とが対向する姿勢に設定する。第２ケース部材４２の姿勢を設定したならば、第２ケース部材４２を重合方向Ａに沿って移動して第１ケース部材４１へ重合させ、第２ケース部材４２に固着されている保護カバー部材３７のカバー嵌合片１３２を嵌脱許容溝部１３５に挿入する（図１８参照）。そして、第２ケース部材４２を係合方向Ｂへスライドし、係合片５１を係合溝部５０へ係合させて第１ケース部材４１と第２ケース部材４２とを係合状態（閉じた状態）とし、さらには、カバー嵌合片１３２を嵌脱規制溝部１３６へスライドして嵌脱阻止爪１３２ａと嵌脱阻止受部１３６ａとを係止する。すると、基板ボックス３４は、左側副封止体８１と左側副封止受部８０、右側副封止体１０１と右側副封止受部１００をそれぞれ重合し、左側主封止体７４と左側主封止受部７３とが固着された状態の左側主封止機構６６を第２ケース部材４２の側部へ接近させ、右側主封止体９４と右側主封止受部９３とが固着された状態の右側主封止機構８６を第１ケース部材４１の側部へ接近させる。
【００５８】
第１ケース部材４１と第２ケース部材４２とを係合して閉じたならば、予め左側副封止体８１に仮止めされていた左側副封止具７９を十分に締め込んで左側副封止体８１と左側副封止受部８０とを固着するとともに、予め右側副封止体１０１に仮止めされていた右側副封止具９９を十分に締め込んで右側副封止体１０１と右側副封止受部１００とを固着して、第１ケース部材４１と第２ケース部材４２とを閉じた状態で再封止する。このようにして、左側主封止機構６６および右側主封止機構８６の破壊後から新品交換までの間に基板ボックス３４および制御基板３５を仮使用（例えば、基板ボックス３４および制御基板３５に異常がないことを確認した上で一時的に使用）する場合であっても、左側副封止機構６７および右側副封止機構８７を用いて基板ボックス３４を封止することができる。そして、左側副封止機構６７と右側副封止機構８７とにより、第１ケース部材４１と第２ケース部材４２とを閉じた状態で再固着して再封止したならば、遊技制御装置３２を第１ケース部材４１が装着ベース３０に対向する姿勢に設定し、この状態で装着ベース３０へ装着する。
【００５９】
また、仮使用される遊技制御装置３２は、仮使用終了後においては、再封止された基板ボックス３４を開放せずに（制御基板３５の再チェックを行わずに）交換用の新たな遊技制御装置３２に交換される。ここで、左側副封止機構６７を左側主封止機構６６よりも破壊し難い構成にするとともに、右側副封止機構８７を右側主封止機構８６よりも破壊し難い構成にしているので、遊技盤５（パチンコ遊技機１）から外されて交換される予定の基板ボックス３４、言い換えると、仮使用終了後に開封不要な基板ボックス３４において、左側副封止機構６７および右側副封止機構８７を無駄に破壊し易くしておかずに済み、制御基板３５に対するセキュリティが不必要に弱くなる不都合を抑制することができる。さらに、左側副封止部７８の剛性を左側主封止部７０の剛性よりも強く設定して左側副封止機構６７を左側主封止機構６６よりも破壊し難い構成に設定するとともに、右側副封止部９８の剛性を右側主封止部９０の剛性よりも強く設定して右側副封止機構８７を右側主封止機構８６よりも破壊し難い構成に設定したので、左側副封止機構６７および右側副封止機構８７を無駄に破壊し易くしておかずに済む構成を、簡単に実現することができる。
【００６０】
ところで、上記実施形態では、第１貼着部５７と第２貼着部５９との境界を係合方向Ｂまたは係合解除方向Ｃに沿って直線状に設定したが、本発明はこれに限定されない。例えば、図２０に示す第２実施形態の遊技制御装置３２は、基本的には第１実施形態と同じ構造であるが、第１貼着部５７と第２貼着部５９との境界に係合方向Ｂまたは係合解除方向Ｃと交差する境界部分を含んでいる点で異なる。具体的に説明すると、第１貼着部５７の後部（第２ケース部材４２側に位置する部分）のうち係合解除方向Ｃの下流側（図２０（ａ）中、右側）に位置する箇所を前方の第１ケース部材４１側へ凹ませ、第２貼着部５９の下部のうち係合解除方向Ｃの下流側（図２０（ａ）中、右側）に位置する部分を前方の第１ケース部材４１側へ屈曲して第１貼着部５７の凹み部に嵌合可能としている。そして、第１貼着部５７と第２貼着部５９との境界が、係合解除方向Ｃの下流側（図２０（ａ）中、右側）では基板ボックス３４の下方に臨ませる状態で係合解除方向Ｃに沿って延在し、係合解除方向Ｃの上流側（図２０（ａ）中、左側）では基板ボックス３４の後方に臨ませる状態で係合解除方向Ｃに沿って延在し、貼着部４６の左右方向の中央部においては、離間方向Ｄまたは重合方向Ａに沿って延在するように構成されている。また、第１貼着部５７の凹み部の縁に第１カッター１４６を貼着部４６の下方へ突出する状態で備え、保護カバー部材３７のうち第１貼着部５７の下面を保護する部分に第１収納凹部１４８を設けている（図２０（ｂ）参照）。
【００６１】
このような第１貼着部５７と第２貼着部５９とを連結して貼着部４６を構成し、該貼着部４６に電子タグシール３６を貼着した状態で第２ケース部材４２を係合解除方向Ｃへスライドすると、電子タグシール３６を第１貼着部５７と第２貼着部５９との境界に沿って切断することができ、しかも、この切断した縁部を複雑な屈曲線状とすることができる。したがって、基板ボックス３４を閉じた状態において電子タグシール３６に切断縁が形成されているか否か、ひいては、不正行為者が基板ボックス３４を開放した、若しくは、基板ボックス３４の開放を試みたか否かを目視により確認し易い。なお、図２１（ａ）および（ｂ）に示すように、係合解除方向Ｃとは異なる離間方向Ｄに沿って延在する境界部分を係合方向Ｂや係合解除方向Ｃに複数回屈曲したり湾曲したりすれば、基板ボックス３４を閉じた状態において電子タグシール３６に切断縁が形成されているか否かを一層確認し易くなり、好適である。
【００６２】
ところで、上記実施形態では、嵌合機構１２５を舌片状のカバー嵌合片１３２と溝状のカバー嵌合受部１３３とで構成したが、本発明はこれに限定されない。要は、保護カバー部材３７の端部を第１ケース部材４１に嵌合可能、且つ嵌合状態で第２ケース部材４２とともに該第２ケース部材４２のスライド方向（係合方向Ｂまたは係合解除方向Ｃ）に沿ってスライドできれば、嵌合機構１２５は、どのような構成を備えていてもよい。例えば、第２ケース部材４２のスライド方向に沿って延設された突条からなるガイド部と、該ガイド部に沿って摺動可能な突起からなる被ガイド部とで嵌合機構１２５を構成し、保護カバー部材３７の端部または第１ケース部材４１のいずれか一方にガイド部を設けるとともに、他方には被ガイド部を設け、ガイド部と被ガイド部とを嵌合（当接）し、この状態でガイド部を被ガイド部に沿って摺動して保護カバー部材３７の端部を第２ケース部材４２のスライド方向に沿ってスライド可能としてもよい。
【００６３】
また、上記実施形態では、代表的な遊技機であるパチンコ遊技機を例にして説明したが、本発明はこれに限らず、遊技制御実行用の電子部品が実装された制御基板と、該制御基板を内部に収納するための基板ボックスと、予め記憶された固有の識別情報を発信可能な電子タグを有する電子タグシールと、を備え、基板ボックスを第１ケース部材と第２ケース部材とに分割して開閉可能とし、電子タグシールを、第１ケース部材と第２ケース部材との分割境界を覆う状態で基板ボックスの表面に貼着する遊技機であればどのような遊技機でもよい。例えば、封入球式パチンコ機、アレンジボール式遊技機、雀球式遊技機等の遊技機であってもよい。
【００６４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００６５】
１  パチンコ遊技機
５  遊技盤
３２  遊技制御装置
３４  基板ボックス
３５  制御基板
３６  電子タグシール
３６ａ  第１シール部
３６ｂ  第２シール部
３７  保護カバー部材
３７ａ  第１カバー体
３７ｂ  第２カバー体
４１  第１ケース部材
４２  第２ケース部材
４３  係合機構
４６  貼着部
４７  封止機構
５７  第１貼着部
５９  第２貼着部
６６  左側主封止機構
６７  左側副封止機構
７０  左側主封止部
７１  左側主封止具
７２  左側主封止カバー
７３  左側主封止受部
７４  左側主封止体
７８  左側副封止部
７９  左側副封止具
８０  左側副封止受部
８１  左側副封止体
８６  右側主封止機構
８７  右側副封止機構
９０  右側主封止部
９１  右側主封止具
９２  右側主封止カバー
９３  右側主封止受部
９４  右側主封止体
９８  右側副封止部
９９  右側副封止具
１００  右側副封止受部
１０１  右側副封止体
１１７  電子タグ
１１８  チップ部
１２３  カバー装着機構
１２４  固着機構
１２５  嵌合機構
１２７  カバー固着部
１２８  カバー固着受部
１２９  カバー固着具
１３２  カバー嵌合片
１３３  カバー嵌合受部
１３５  嵌脱許容溝部
１３６  嵌脱規制溝部
１４６  第１カッター
１４７  第２カッター
【図１】
2011147479.tif 000003
【図２】
2011147479.tif 000004
【図３】
2011147479.tif 000005
【図４】
2011147479.tif 000006
【図５】
2011147479.tif 000007
【図６】
2011147479.tif 000008
【図７】
2011147479.tif 000009
【図８】
2011147479.tif 000010
【図９】
2011147479.tif 000011
【図１０】
2011147479.tif 000012
【図１１】
2011147479.tif 000013
【図１２】
2011147479.tif 000014
【図１３】
2011147479.tif 000015
【図１４】
2011147479.tif 000016
【図１５】
2011147479.tif 000017
【図１６】
2011147479.tif 000018
【図１７】
2011147479.tif 000019
【図１８】
2011147479.tif 000020
【図１９】
2011147479.tif 000021
【図２０】
2011147479.tif 000022
【図２１】
2011147479.tif 000023